(57)【特許請求の範囲】
【請求項１】
柱とその外側に並設される外壁とを有する建物の上下階間、或いは、左右に隣接する外壁間の目地まわりの防水構造であって、前記外壁の凹凸や前記上下階間、或いは、左右に隣接する外壁間の段差を吸収する圧縮代を有し前記目地を中心とする上下階、或いは、左右に隣接する前記外壁の外面に粘着される防水粘着部材と、前記防水粘着部材間に架設されて固着される防水シートと、建物側に固定される前記防水シート上に設置されて前記防水シートの平面側から端縁側に屈曲する金属製の補強部材とを有し、前記補強部材側から前記補強部材、前記防水シート及び前記防水粘着部材に止め具を貫通させることにより固定されているものからなることを特徴とする建物の目地まわりの防水構造。
【請求項２】
前記上下階間、或いは、左右に隣接する外壁間の目地内には、防水圧縮性部材が充填されることを特徴とする請求項１に記載の建物の目地まわりの防水構造。
【請求項３】
前記防水シートが可撓性ゴムシートに織布又は不織布をトッピングさせたゴムシートからなることを特徴とする請求項１又は２に記載の建物の目地まわりの防水構造。
【発明の詳細な説明】
【０００１】
【発明の属する技術分野】
本発明は、建物の上下階、或いは、左右に隣接する外壁間の目地まわりの防水構造に関する。
【０００２】
【従来の技術】
図１乃至図７に示すように、建物の外壁９は柱８と相対向して配設され、上下階、或いは、左右に隣接する外壁９，９間には目地７が形成される。この目地７まわりの部位における建物の防水構造としては、図４に示すように防水シート１２を用いるものや、図５に示す発泡体１３を目地７内に充填するもの、図６に示すガスケット１４を充填するもの及び図７に示すコーキング材１５を目地７内に充填するもの等、各種の防水手段が採用されている。なお、図４に示す防水シート１２は下階の外壁９の上端縁を覆う下方側防水シート１２ｂと下方側防水シート１２ｂに重合して上階の外壁９の内面に固着される上方側防水シート１２ａからなる。
【０００３】
【発明が解決しようとする課題】
図４に示す防水構造の場合、例えば、上階の外壁９の裏面に水が入る可能性がある。また、最近の建物では、壁内の通気のため柱８側に通気孔を空ける場合が多く、そのために柱８と外壁９との間で防水シート１２を固定することができない。そのため、防水シート１２による防水性が不十分となる可能性がある。また、防水シート１２が現地の組み付け前に取り付けられるため、現場までの搬送中に防水シート１２が壊れてしまう問題点がある。
【０００４】
また、図５，図６に示す発泡体１３やガスケット１４を目地７内に充填するものは発泡体１３やガスケット１４が経時収縮するため止水性が不十分となる問題点がある。また、第７図に示すコーキング材１５を目地７内に充填するものは、コーキング材１５が割れ易い。また、コーキング材１５の貼付精度が人の技能に左右されるため止水性や通気孔スペースを安定保持することが難しい問題点がある。ましてや、建築物の据付寸法精度にバラツキが生じる場合が多く、目地間に防水施工できないという問題点がある。
また、上記止水材は、施工完了後、地震や建物の変形で破損や隙間の発生を起こす。
【０００５】
本発明は、以上の事情に鑑みて発明されたものであり、比較的簡便な手段からなり、通常の動風圧，散水，振動に対して十分な止水性を保持し得る建物の目地まわりの防水構造を提供することを目的とする。
【０００６】
【課題を解決するための手段】
本発明の建物の目地まわりの防水構造は、以上の目的を達成するために、請求項１に記載の通り、柱とその外側に並設される外壁とを有する建物の上下階間、或いは、左右に隣接する外壁間の目地まわりの防水構造であって、前記外壁の凹凸や前記上下階間、或いは、左右に隣接する外壁間の段差を吸収する圧縮代を有し前記目地を中心とする上下階、或いは、左右に隣接する前記外壁の外面に粘着される防水粘着部材と、前記防水粘着部材間に架設されて固着される防水シートと、建物側に固定される前記防水シート上に設置されて前記防水シートの平面側から端縁側に屈曲する金属製の補強部材とを有し、前記補強部材側から前記補強部材、前記防水シート及び前記防水粘着部材に止め具を貫通させることにより固定されているものからなることを特徴とする。
また、請求項２記載の建物の目地まわりの防水構造は、請求項１記載の建物の目地まわりの防水構造において、前記上下階間、或いは、左右に隣接する外壁間の目地内には、防水圧縮性部材が充填されることを特徴とする。
また、請求項３記載の建物の目地まわりの防水構造は、請求項１又は２記載の建物の目地まわりの防水構造において、前記防水シートが可撓性ゴムシートに織布又は不織布をトッピングさせたゴムシートからなることを特徴とする。
【０００７】
目地を中心とする外壁の外面は防水シートにより覆われ、また、必要な場合には防水シートと外壁との間に外壁の凹凸や上下階、或いは、左右に隣接する外壁の段差を吸収し得る圧縮代を有する防水粘着部材が介設されるため、目地まわりの止水が柱側とは無関係にほぼ確実に行われる。なお、防水シートは建物側に固着により又は止め具により固定されるが、防水シートの任意の端縁側に補強部材が設けられ、この補強部材により防水シート等は建物側に固定される。これにより防水シートの固定が確実に行われる。また、以上の防水構造で不十分な場合には、目地内に防水圧縮性部材が介在され、止水性がより確実に向上する。
【０００８】
【発明の実施の形態】
以下、本発明の建物の目地まわりの防水構造の実施の形態を図面を参照して詳述する。
図１，図２は本発明の防水構造の基本的構造を示すものであり、図３は目地に防水圧縮性部材を充填したものであり、止水性の高い構造のものを表わす。
【０００９】
図１に示すように、例えば、上下階の建物の外面側には柱８及び外壁９が設けられている。説明の都合上、図における上階の柱８及び外壁を上方柱８ａ及び上方外壁９ａと称呼し、下階の柱８及び外壁９を下方柱８ｂ及び下方外壁９ｂと称呼する。本実施の形態における目地まわりの防水構造は、建物の上方外壁９ａと下方外壁９ｂ間に架設される防水シート１と、建物側に止め具６により固定する防水シート１の上端縁を補強する補強部材３等とからなる。なお、防水シート１は直接上方及び下方外壁９ａ，９ｂに当接して固定されてもよいが、上方及び下方外壁９ａ，９ｂの外面に凹凸があるため、防水粘着部材２を介して固着される。また、補強部材３と防水シート１との間にも両面粘着テープ１０が介設される。以上により、上方外壁９ａと下方外壁９ｂ間の目地７の防水が確実に行われる。図１では補強部材３が上階側にのみ設けられたが、図２は下階側にも補強部材３が設けられた場合を示すものであり、防水シート１の固定がより一層確実に行われる。
【００１０】
図３は図２に示した目地まわり防水構造に加えて目地７内に防水圧縮性部材４を介設したものである。これにより、図１，図２に較べて更に確実な防水が行われる。
【００１１】
上記実施の形態について、より詳細に説明すると、防水シート１は適宜面積のシート状部材からなり、例えば、ＥＰＤＭ／ブチルベースの厚み０．３ｍｍのゴムシートに、厚み０．２ｍｍのＰＥＴ不織布の一体品としたゴム引布が用いられる。このようなゴム引布は、伸びず、縮まず、柔らかく、耐水性、耐候性、耐久性に優れるので、その使用が好ましい。
【００１２】
防水シートの上下の端縁側は、ブチルゴムからなる防水粘着部材２が固着され、この上下の防水粘着部材２は高さが均一でもよいが、外壁９の段差や凹凸の大きさ等により、例えば上方の防水粘着部材２の方が自由高の高いものが設定される。また、例えば、外壁９の表面の凹凸が３ｍｍ程度の場合には４×４針入度６０のブチルゴムが採用される。
【００１３】
防水シートの任意の端縁に設けられる補強部材３は、図１の場合は、防水シート１の上方のみに設けられ、図２及び図３の場合は、防水シート１の上下端縁に設けられている。この補強部材３は本実施の形態ではＬ字型に曲げられたアルミニウム材の金具であり、両面粘着テープ１０により防水シート１側に固着されている。このアルミニウム金具は、外壁９の表面の凹凸が４ｍｍ以内であれば、前記Ｌ字型のものが適しており、それを超える場合は、目地全体を覆うコ字型のアルミニウム金具の使用が適している。
なお、前記の両面粘着テープ１０は、ビス止め止水性を考慮して、ブチル両面テープが用いられている。
【００１４】
なお、止め具６，６間のピッチｐは、外壁９の表面の凹凸が３ｍｍで、防水粘着部材２のブチルゴムとして４×４針入度６０のものを用いた場合、２５０ｍｍ以下であることが止水性保持の面で望ましい。勿論、このピッチｐは外壁９の塗料の性質によって異なる。
【００１５】
防水圧縮性部材４は本実施の形態ではＰＥＴ発泡体からなり、目地７内に圧入される。例えば、目地間隔１２ｍｍに対して施工誤差が１２±３ｍｍ程度の場合には、防水圧縮性部材４の直径は１３φ乃至１５φのものが採用される。この寸法の防水圧縮性部材４は市販品として容易に購入可能である。
【００１６】
以上の図１乃至図３に示した構造の目地まわりの防水構造について止水性能をテストした結果、次のことが実証された。即ち、動風圧５５０ｐａ（５６．１ｋｇｆ／ｍ２）で、４リットル／ｍ２の散水に対し、且つ、周期２秒近似正弦波の振動を１０分間かけても十分止水性を発揮することができた。
【００１７】
なお、前記実施の態様においては、上下階間の目地まわりの防水を例に説明したが、左右に隣接する外壁間の目地まわりの防水についても同様に適用できることは勿論である。また、水切りシートなどの併用を排除するものでないことは云うまでもない。
【００１８】
【発明の効果】
１）本発明の請求項１，２に記載の建物の目地まわりの防水構造によれば、外壁表面に多少の凹凸があり、ある程度の広い目地があっても、防水粘着部材を設けた防水シートで目地まわりを被い、補強部材で端縁を補強された防水シートを止め具により建物側に固定するため、目地まわりの止水性を確保することができる。また、比較的簡便構造のため、安価に実施できる。
２）本発明の請求項３に記載の建物の目地まわりの防水構造によれば、目地内に防水圧縮性部材を充填するため、目地自体が閉止され、止水性の一層の向上が図れる。
３）本発明の請求項４に記載の建物の目地まわりの防水構造によれば、建築物の据付寸法精度のバラツキに無関係に安定した、耐水性、耐候性、耐久性に優れたものとなる。
【図面の簡単な説明】
【図１】本発明の目地まわりの防水構造の基本的構造を示す断面図
【図２】本発明の目地まわりの防水構造の基本的構造を示す断面図
【図３】目地に防水圧縮性部材を介在せしめた目地まわりの防水構造を示す断面図
【図４】防水シートを用いた従来の建物の目地まわりの防水構造の概要構造を示す断面図
【図５】発泡体を用いた従来の建物の目地まわりの防水構造の概要構造を示す断面図
【図６】ガスケットを用いた従来の建物の目地まわりの防水構造の概要構造を示す断面図
【図７】コーキング材を用いた従来の建物の目地まわりの防水構造の概要構造を示す断面図
【符号の説明】
１    防水シート
２    防水粘着部材
３    補強部材
４    防水圧縮性部材
６    止め具
７    目地
８    柱
８ａ  上方柱
８ｂ  下方柱
９    外壁
９ａ  上方外壁
９ｂ  下方外壁
１０  両面粘着テープ
【図１】
0004490527.tif 000002
【図２】
0004490527.tif 000003
【図３】
0004490527.tif 000004
【図４】
0004490527.tif 000005
【図５】
0004490527.tif 000006
【図６】
0004490527.tif 000007
【図７】
0004490527.tif 000008